(57)【特許請求の範囲】
【請求項１】
長尺状の筐体と、
光源としての複数の発光素子と、
前記複数の発光素子に対応して配置された複数のレンズと、
表面および裏面を有し、前記複数の発光素子の少なくとも一部が長手方向に並んだ状態で前記表面に実装配置された長尺状の実装基板と、
前記複数のレンズを保持し、前記実装基板の前記表面側に配置された保持部材と、
前記実装基板に沿って前記実装基板の前記裏面側に配置された放熱部材とを備え、
前記筐体は、底壁部と、前記底壁部の相対する一対の長辺側端部から立設された一対の側壁部と、前記底壁部および前記一対の側壁部によって規定され、前記複数の発光素子、前記実装基板、前記複数のレンズ、前記保持部材および前記放熱部材が収容された収容部と、前記一対の側壁部から前記収容部側に向けて突設され、前記実装基板の相対する一対の長辺側端部を支持する一対の支持部と、前記一対の側壁部に設けられ、前記保持部材を前記筐体に嵌合固定する一対の第１係止部とを含み、
前記保持部材は、前記複数の発光素子に対応して設けられた複数の開口部と、前記複数の開口部を覆うように前記複数のレンズを前記保持部材に嵌合固定する複数の第２係止部と、前記実装基板の前記一対の長辺側端部を前記一対の支持部に向けて弾性付勢する複数の弾性付勢部とを含み、
前記複数の弾性付勢部と前記一対の支持部とによって前記実装基板が挟持固定されるとともに、前記実装基板と前記底壁部とによって前記放熱部材が前記実装基板および前記底壁部のそれぞれに密着した状態で挟持固定されている、照明装置。
【請求項２】
前記複数の弾性付勢部の各々は、弾性変形が可能な梁部と、前記梁部の前記実装基板側の主面に設けられた突起部とによって構成され、
前記突起部の先端のみが前記実装基板の前記表面に当接している、請求項１に記載の照明装置。
【請求項３】
前記複数の第２係止部は、前記複数のレンズの各々の一部が前記保持部材の前記実装基板側の面に当接した状態で前記複数のレンズを前記保持部材に嵌合固定している、請求項１または２に記載の照明装置。
【請求項４】
前記保持部材は、前記底壁部側に向けて突設された複数の柱状部をさらに含み、
前記実装基板は、前記複数の柱状部に対応して設けられ、前記表面から前記裏面に向けて貫通する複数の貫通部を含み、
前記複数の柱状部が、前記複数の貫通部に挿通配置されている、請求項１から３のいずれかに記載の照明装置。
【請求項５】
一端が前記実装基板に接続され、他端が前記筐体から引き出されることによって外部に接続される接続ケーブルと、
前記接続ケーブルを前記筐体に固定するための固定部材とをさらに備え、
前記筐体は、前記底壁部の相対する一対の短辺側端部のうちの一方に対応する位置に配置されることで前記収容部を規定する第１閉塞部材をさらに含み、
前記固定部材は、前記接続ケーブルの途中位置に外挿固定されるとともに前記第１閉塞部材に嵌合固定されている、請求項１から４のいずれかに記載の照明装置。
【請求項６】
前記筐体は、前記底壁部の相対する一対の短辺側端部のうちの他方に対応する位置に着脱自在に取付けが可能で、取付けた状態において前記収容部を規定する第２閉塞部材をさらに含んでいる、請求項５に記載の照明装置。
【請求項７】
前記複数の発光素子、前記複数のレンズおよび前記複数の開口部が、いずれも前記筐体の長手方向に沿って同一ピッチで配置され、
前記複数の開口部のうち、前記保持部材の長手方向の端部に最も近い位置に配置された開口部の前記端部寄りの位置と前記端部との間の距離が、隣り合う開口部同士の間に位置する前記保持部材の桟の幅の１／２の大きさとされている、請求項１から６のいずれかに記載の照明装置。
【請求項８】
前記複数の発光素子、前記複数のレンズ、前記実装基板および前記保持部材によって長尺状のサブアセンブリが構成され、
前記サブアセンブリが、単体の部材からなる前記筐体の長手方向に沿って複数並んだ状態で配置されている、請求項１から７のいずれかに記載の照明装置。
【請求項９】
請求項１から８のいずれかに記載の照明装置を複数備え、
前記複数の照明装置が、前記筐体の長手方向に並んだ状態で相互に連結固定されている、照明システム。
【発明の詳細な説明】
【技術分野】
【０００１】
本発明は、発光素子を光源として備えた照明装置および当該照明装置を複数備えてなる照明システムに関し、特に、画像処理技術分野において使用される、撮像対象物に向けて光を照射するための照明装置および当該照明装置を複数備えてなる照明システムに関する。
【背景技術】
【０００２】
従来、ＦＡ（Factory Automation）分野等において、各種の画像処理技術が利用されている。画像処理技術は、典型的には、検査対象物を撮像して得られた画像データに基づいて、検査対象物に付されている文字やマークを認識したり、検査対象物の表面における傷の有無を検査したり、組付けるべき部品同士の位置決めを行ったりする技術であり、各種生産設備等において広く導入されている。
【０００３】
このような画像処理技術を利用する場合には、撮像対象物を撮像した画像を適切に取得することが必要である。そのため、撮像時に適切な照度を確保することを目的として、画像処理システムに撮像対象物を照らす照明装置が付設されている場合が多い。ここで、付設される照明装置としては、低消費電力でかつ長寿命な高輝度発光素子（たとえばＬＥＤ：Light-Emitting Diode）を光源として備えたものが利用されることが一般化している。
【０００４】
ここで、上記画像処理システムに付設される照明装置の１つに、バー／ライン型照明装置と呼ばれるものがある。当該バー／ライン型照明装置は、照明光が出射される出射面が所定の幅で直線状に延びた形状を有するものであり、長尺状の実装基板に発光素子が直線状または行列状に実装された構造が採用されている。
【０００５】
当該バー／ライン型照明装置の具体的な組付構造が開示された文献としては、たとえば特開２００７−５９０７３号公報（特許文献１）や、国際公開第２０１０／００７８３５号（特許文献２）等がある。
【０００６】
上記特許文献１に開示されるバー／ライン型照明装置にあっては、底壁部および一対の側壁部を有する筐体の底壁部上に、発光素子が実装された実装基板、および、複数のレンズ部を有するレンズアレイが、この順で積層配置され、筐体の一対の側壁部に設けられた係止爪部にレンズアレイの上面の端部を嵌合させることにより、レンズアレイと筐体とによって実装基板を挟持固定する組付構造が採用されている。
【０００７】
一方、上記特許文献２に開示されるバー／ライン型照明装置にあっては、底壁部および一対の側壁部を有する筐体の底壁部上に、弾性圧縮が可能な放熱部材、発光素子が実装された実装基板、および、複数のレンズ部を有するレンズアレイが、この順で積層配置され、筐体の一対の側壁部に設けられた係止凹部にレンズアレイに設けられた係止爪部を嵌合させることにより、レンズアレイと筐体とによって実装基板および放熱部材を挟持固定する組付構造が採用されている。
【先行技術文献】
【特許文献】
【０００８】
【特許文献１】特開２００７−５９０７３号公報
【特許文献２】国際公開第２０１０／００７８３５号
【発明の概要】
【発明が解決しようとする課題】
【０００９】
しかしながら、上記特許文献１または２に開示の組付構造においては、複数のレンズ部が基部を介して一体化されたレンズアレイ構造が適用されているため、当該組付構造を採用した場合には、長尺状のレンズアレイの長手方向に沿ってレンズアレイに厚みの変化が大きく生じてしまうことになり、成形の際に当該レンズアレイに反りが発生し易く、組付けが困難になってしまう問題が生じる。また、反りが生じたレンズアレイを筐体に無理に固定した場合には、レンズアレイにストレスがかかってしまうことにもなり、信頼性が損なわれてしまう結果となる。
【００１０】
一方、上記バー／ライン型照明装置において、照射強度および焦点距離等の照明特性を設計値どおりに精度よく再現するためには、実装基板に実装される発光素子と当該発光素子に対応して配置されるレンズ部との位置決め（出射面と平行な面内における位置決め（以下、これを「ＸＹ面内における位置決め」と称する）と、光軸方向に沿った位置決め（以下、これを「Ｚ軸方向における位置決め」と称する）とを含む）を精度よく行うことが必要不可欠である。しかしながら、長尺状の実装基板にも製造の際の熱履歴等に起因して反りが生じる場合があり、これが上記発光素子とレンズ部との位置決めを精度よく行うことの妨げになってしまう。
【００１１】
当該観点から見た場合、上記特許文献１に開示の組付構造にあっては、レンズアレイによって押圧された実装基板が筐体の底壁部に押し付けられた状態で固定される構造であるため、基板の反りが矯正されてＺ軸方向における位置決めが精度よく行われるとともに、レンズアレイに設けられた凸部が実装基板に設けられた凹部に嵌め込まれる構造であるため、ＸＹ面内における位置決めが精度よく行われることになる。
【００１２】
しかしながら、上記特許文献１に開示の組付構造を採用したのでは、反りを矯正することで生じる実装基板の反力がレンズアレイに加わってしまうことになり、信頼性の点で問題が残ってしまうことになる。また、実装基板の反りが大きい場合や実装基板の剛性が大きい場合等には、レンズアレイを筐体に固定すること自体が困難となり、組付け性の点においても問題が生じてしまうことになる。
【００１３】
一方、上記特許文献２に開示の組付構造にあっては、実装基板と筐体との間に弾性圧縮が可能な放熱部材が介在されており、レンズアレイによって押圧された実装基板が放熱部材に押し付けられた状態で固定される構造であるため、放熱部材が圧縮変形することで実装基板に極端なストレスがかからないことになり、組付け性および信頼性が向上するとともに、レンズアレイに設けられた凸部が実装基板に設けられた凹部に嵌め込まれる構造であるため、ＸＹ面内における位置決めが精度よく行われることになる。
【００１４】
しかしながら、上記特許文献２に開示の組付構造を採用したのでは、圧縮変形した状態の放熱部材の弾性力によって実装基板の反りがある程度矯正されることが期待されるものの、実際には、弾性力が非常に小さいため十分には実装基板の反りが矯正されず、特に実装基板の反りが大きい場合や実装基板の剛性が大きい場合等には、ほとんど反りの矯正が行えないこととなってしまい、上記Ｚ軸方向における位置決めが精度よく行えない問題が残ってしまう。
【００１５】
このように、従来のバー／ライン型照明装置は、信頼性の観点や、部品の反りを考慮した上での高精度の位置決めの観点等から、その組付構造に未だ改善の余地があるものであった。
【００１６】
したがって、本発明は、上述した問題点を解決すべくなされたものであり、発光素子とレンズ部との位置決めを高精度に行うことができ、組付け性に優れ、高性能でかつ高信頼性の照明装置および当該照明装置を複数備えてなる照明システムを提供することを目的とする。
【課題を解決するための手段】
【００１７】
本発明に基づく照明装置は、長尺状の筐体と、光源としての複数の発光素子と、上記複数の発光素子に対応して配置された複数のレンズと、表面および裏面を有し、上記複数の発光素子の少なくとも一部が長手方向に並んだ状態で上記表面に実装配置された長尺状の実装基板と、上記複数のレンズを保持し、上記実装基板の上記表面側に配置された保持部材と、上記実装基板に沿って上記実装基板の上記裏面側に配置された放熱部材とを備えている。上記筐体は、底壁部と、上記底壁部の相対する一対の長辺側端部から立設された一対の側壁部と、上記底壁部および上記一対の側壁部によって規定され、上記複数の発光素子、上記実装基板、上記複数のレンズ、上記保持部材および上記放熱部材が収容された収容部と、上記一対の側壁部から上記収容部側に向けて突設され、上記実装基板の相対する一対の長辺側端部を支持する一対の支持部と、上記一対の側壁部に設けられ、上記保持部材を上記筐体に嵌合固定する一対の第１係止部とを含んでいる。上記保持部材は、上記複数の発光素子に対応して設けられた複数の開口部と、上記複数の開口部を覆うように上記複数のレンズを上記保持部材に嵌合固定する複数の第２係止部と、上記実装基板の上記一対の長辺側端部を上記一対の支持部に向けて弾性付勢する複数の弾性付勢部とを含んでいる。上記実装基板は、上記複数の弾性付勢部と上記一対の支持部とによって挟持固定されており、上記放熱部材は、上記実装基板と上記底壁部とによって上記実装基板および上記底壁部のそれぞれに密着した状態で挟持固定されている。
【００１８】
上記本発明に基づく照明装置にあっては、上記複数の弾性付勢部の各々が、弾性変形が可能な梁部と、上記梁部の上記実装基板側の主面に設けられた突起部とによって構成されていることが好ましく、その場合に、上記突起部の先端のみが上記実装基板の上記表面に当接していることが好ましい。
【００１９】
上記本発明に基づく照明装置にあっては、上記複数の第２係止部が、上記複数のレンズの各々の一部が上記保持部材の上記実装基板側の面に当接した状態で上記複数のレンズを上記保持部材に嵌合固定していることが好ましい。
【００２０】
上記本発明に基づく照明装置にあっては、上記保持部材が、上記底壁部側に向けて突設された複数の柱状部をさらに含んでいることが好ましく、また、上記実装基板が、上記複数の柱状部に対応して設けられ、上記表面から上記裏面に向けて貫通する複数の貫通部を含んでいることが好ましい。そして、上記複数の柱状部が、上記複数の貫通部に挿通配置されていることが好ましい。
【００２１】
上記本発明に基づく照明装置は、一端が上記実装基板に接続され、他端が上記筐体から引き出されることによって外部に接続される接続ケーブルと、上記接続ケーブルを上記筐体に固定するための固定部材とをさらに備えていることが好ましい。その場合には、上記筐体が、上記底壁部の相対する一対の短辺側端部のうちの一方に対応する位置に配置されることで上記収容部を規定する第１閉塞部材をさらに含んでいることが好ましく、また、上記固定部材が、上記接続ケーブルの途中位置に外挿固定されるとともに上記第１閉塞部材に嵌合固定されていることが好ましい。
【００２２】
上記本発明に基づく照明装置にあっては、上記筐体が、上記底壁部の相対する一対の短辺側端部のうちの他方に対応する位置に着脱自在に取付けが可能で、取付けた状態において上記収容部を規定する第２閉塞部材をさらに含んでいることが好ましい。
【００２３】
上記本発明に基づく照明装置にあっては、上記複数の発光素子、上記複数のレンズおよび上記複数の開口部が、いずれも上記筐体の長手方向に沿って同一ピッチで配置されていることが好ましい。その場合には、上記複数の開口部のうち、上記保持部材の長手方向の端部に最も近い位置に配置された開口部の上記端部寄りの位置と上記端部との間の距離が、隣り合う開口部同士の間に位置する上記保持部材の桟の幅の１／２の大きさとされていることが好ましい。
【００２４】
上記本発明に基づく照明装置にあっては、上記複数の発光素子、上記複数のレンズ、上記実装基板および上記保持部材によって長尺状のサブアセンブリが構成されていることが好ましく、その場合に、上記サブアセンブリが、単体の部材からなる上記筐体の長手方向に沿って複数並んだ状態で配置されていてもよい。
【００２５】
本発明に基づく照明システムは、上述したいずれかの照明装置を複数備えるものであり、上記複数の照明装置が、上記筐体の長手方向に並んだ状態で相互に連結固定されてなるものである。
【発明の効果】
【００２６】
本発明によれば、発光素子とレンズ部との位置決めを高精度に行うことができ、組付け性に優れ、高性能でかつ高信頼性の照明装置および当該照明装置を複数備えてなる照明システムとすることができる。
【図面の簡単な説明】
【００２７】
【図１】本発明の実施の形態１における照明装置を具備した画像処理システムの構成例を示す概略図である。
【図２】本発明の実施の形態１における照明装置の分解斜視図である。
【図３】本発明の実施の形態１における照明装置の斜視図である。
【図４】本発明の実施の形態１における照明装置の透光カバーを取付けていない状態の斜視図である。
【図５】本発明の実施の形態１における照明装置のレンズの斜視図である。
【図６】本発明の実施の形態１における照明装置の透光カバーの他の例を示す斜視図である。
【図７】本発明の実施の形態１における照明装置の要部斜視図である。
【図８】図２および図４に示す保持部材の底面図である。
【図９】本発明の実施の形態１における照明装置の組付構造を説明するための要部分解斜視図である。
【図１０】図８に示すＸ−Ｘ線に沿って照明装置を切断した場合の模式断面図である。
【図１１】図８に示すＸＩ−ＸＩ線に沿って照明装置を切断した場合の模式断面図である。
【図１２】図８に示すＸＩＩ−ＸＩＩ線に沿って照明装置を切断した場合の模式断面図である。
【図１３】図８に示すＸＩＩＩ−ＸＩＩＩ線に沿って照明装置を切断した場合の模式断面図である。
【図１４】本発明の実施の形態１に基づいた第１変形例に係る照明装置の分解斜視図である。
【図１５】本発明の実施の形態１に基づいた第１変形例に係る照明装置の模式断面図である。
【図１６】本発明の実施の形態１に基づいた第２変形例に係る照明装置の一部分解斜視図である。
【図１７】本発明の実施の形態２における照明システムの一部分解斜視図である。
【図１８】本発明の実施の形態３における照明システムの一部分解斜視図である。
【図１９】本発明の実施の形態３における照明システムの透光カバーを取り外した状態の平面図である。
【図２０】本発明の実施の形態２および３における照明システムの照明特性を示すグラフである。
【発明を実施するための形態】
【００２８】
以下、本発明の実施の形態について、図を参照して詳細に説明する。なお、以下に示す実施の形態においては、同一または共通する部分に図中同一の符号を付し、その説明は繰り返さない。
【００２９】
（実施の形態１）
図１は、本発明の実施の形態１における照明装置を具備した画像処理システムの構成例を示す概略図である。まず、本実施の形態における照明装置１Ａについて詳細に説明するに先立ち、この図１を参照して、当該照明装置１Ａを具備した画像処理システム１００の構成例について説明する。
【００３０】
図１に示すように、たとえば、画像処理システム１００は、画像を撮像するためのカメラ１１０と、カメラ１１０の視野範囲およびその近傍を照明するための照明装置１Ａと、照明装置１Ａの動作を制御する照明制御装置としてのストロボコントローラ１２０と、カメラ１１０によって撮像された画像を処理する画像処理装置１３０とによって構成される。
【００３１】
カメラ１１０は、その視野範囲が撮像対象物としてのワークＷの搬送経路２００上に重なるように配置され、レンズ等の光学系に加えて、ＣＣＤ（Coupled Charged Device）やＣＭＯＳ（Complementary Metal Oxide Semiconductor）センサといった撮像素子を含んで構成される。なお、搬送速度が比較的速いワークに対してもその撮像処理が行えるように、カメラ１１０としては、電子式のシャッター機構を備えるものを採用することが好ましい。
【００３２】
カメラ１１０は、搬送経路２００上を搬送されるワークＷが当該カメラ１１０の視野範囲に入ったことを図示しないワーク検出センサ等によって検出した場合にワークＷの撮像を行い、撮像した画像の画像データを画像処理装置１３０に出力する。または、これに代えて、連続的にカメラ１１０を用いて視野範囲を撮像しておき、ワークＷが含まれた画像のみを画像処理装置１３０が選択的に抽出することとしてもよい。
【００３３】
ストロボコントローラ１２０は、カメラ１１０による撮像と同期して照明装置１Ａを駆動する装置であり、少なくとも、照明装置１Ａへの電源供給機能、タイミング制御機能、および光量制御機能（調光機能）を有している。上述したように、カメラ１１０は、基本的には所定のタイミングでワークＷを撮像するため、照明装置１Ａは、この撮像期間において視野範囲およびその近傍に対して照明光を照射すればよい。そのため、通常、ストロボコントローラ１２０は、照明装置１Ａを間欠的にパルス駆動する。
【００３４】
画像処理装置１３０は、演算処理部であるＣＰＵ（Central Processing Unit）、記憶部である揮発性メモリやハードディスク、および、カメラインターフェイス等を有するコンピュータからなり、上述したカメラ１１０およびストロボコントローラ１２０に接続されている。画像処理装置１３０は、カメラ１１０およびストロボコントローラ１２０の駆動を制御することでワークＷの画像の画像データを取得し、当該取得した画像データに基づいて各種の解析等を行う。
【００３５】
照明装置１Ａは、光源としての発光素子を含んでおり、当該発光素子が発光することで出射された照明光を視野範囲およびその近傍に向けて照射する。照明装置１Ａは、ストロボコントローラ１２０に接続されており、上述したようにストロボコントローラ１２０によってその駆動が制御される。通常、照明装置１Ａは、ワークＷが搬送される搬送経路２００の近傍に固定的に設置される。なお、撮像される画像に影が含まれないようにするためには、照明装置１Ａが、カメラ１１０の視野範囲を取り囲むように複数設置されることが好ましい。
【００３６】
図２は、本実施の形態における照明装置の分解斜視図であり、図３は、組付け後における斜視図である。図４は、本実施の形態における照明装置の透光カバーを取付けていない状態の斜視図である。図５は、本実施の形態における照明装置のレンズの斜視図である。図６は、本実施の形態における照明装置の透光カバーの他の例を示す斜視図である。また、図７は、本実施の形態における照明装置の要部斜視図である。次に、これら図２ないし図７を参照して、本実施の形態における照明装置１Ａの概略的な組付構造および組付け後の外観構造等について説明する。
【００３７】
図２ないし図４に示すように、本実施の形態における照明装置１Ａは、筐体としてのシャーシ１０、第１閉塞部材としての第１カバー１５および第２閉塞部材としての第２カバー１６と、放熱部材２０としての一対の高熱伝導シート２１，２２と、実装基板３１および光源としての複数の発光素子３２を含む光源ユニット３０と、保持部材４０と、複数のレンズ５０と、透光カバー６０と、接続ケーブル７１とを主として備えている。
【００３８】
図２に示すように、シャーシ１０は、底壁部１１と一対の側壁部１２とを有する長尺状の部材からなり、たとえば金属材料を原料として押し出し成形や引き抜き成形等によって一体的に形成された部材からなる。一対の側壁部１２は、平面視略矩形状の底壁部１１の相対する一対の長辺側端部から立設されており、これら底壁部１１および一対の側壁部１２によって収容部１３が規定されている。
【００３９】
シャーシ１０の一対の側壁部１２には、当該側壁部１２から収容部１３側に向けて突設された一対の支持部１４ａおよび一対の第１係止部１４ｂが設けられている。これら一対の支持部１４ａおよび一対の第１係止部１４ｂは、いずれもシャーシ１０の長手方向に沿って延在するように設けられている。一対の支持部１４ａは、実装基板３１の長辺側端部を支持するための部位であり、一対の第１係止部１４ｂは、保持部材４０を嵌合固定するための部位である。なお、一対の第１係止部１４ｂは、シャーシ１０の底面に対向して位置する段差面によって構成されており、後述する保持部材４０に設けられた被係止部としての第１爪部４５（図８、図９および図１１参照）を係止する。
【００４０】
図２ないし図４に示すように、第１カバー１５および第２カバー１６は、底壁部１１の相対する一対の短辺側端部に対応する位置に着脱自在に取付けられ、当該第１カバー１５および第２カバー１６をシャーシ１０に取付けた状態において、上記底壁部１１および一対の側壁部１２とともに上記収容部１３を規定する。
【００４１】
ここで、第１カバー１５は、接続ケーブル７１を挿通保持する部材でもあり、後述する接続ケーブル７１に取付けられたケーブル保持部材７２が固定される固定部１５ｄ（図７参照）を有している。当該第１カバー１５は、上記シャーシ１０の長手方向の一方端を閉塞するようにシャーシ１０上に取付けられる。一方、第２カバー１６は、上記シャーシ１０の長手方向の他方端を閉塞するように、シャーシ１０の上記他方端側の軸方向端面を覆うようにシャーシ１０に取付けられる。なお、第１カバー１５および第２カバー１６は、たとえば樹脂材料を原料として射出成形等によって形成された部材からなる。
【００４２】
なお、筐体を構成するシャーシ１０および第２カバー１６には、照明装置１Ａを設置固定するための溝部１８ａ，１８ｂ，１８ｃや放熱のための溝部１９がシャーシ１０の長手方向に沿って複数設けられている。溝部１８ａ，１８ｂは、シャーシ１０の内側において広がった内部空間を有しており、この空間に照明装置１Ａを図示しない取り付け金具等にボルトで固定するためのナットを挿入することができる。また、溝部１８ｃは、溝部１８ｂと連通した断面円形状をなしており、この溝部１８ｃに照明装置１Ａを図示しない取り付け金具等を固定するためのねじを挿入することができる。さらに、シャーシ１０の側壁部１２の固定部１５ｄと隣接する側の端部には、接続ケーブル７１を筐体角部から引き出すための切欠き部１８ｄが設けられている。
【００４３】
図２に示すように、シャーシ１０の一対の側壁部１２の所定位置には、それぞれ複数のビス孔１２ａが設けられており、第１カバー１５および第２カバー１６の側面の所定位置には、上記複数のビス孔１２ａに対応して複数のビス孔１５ａ，１６ａが設けられている。これら複数のビス孔１２ａ，１５ａ，１６ａは、第１カバー１５および第２カバー１６をシャーシ１０に固定するためのものであり、当該複数のビス孔１２ａの各々とビス孔１５ａ，１６ａの各々とが重ね合わされた状態で締結部材である複数のビス８１が螺合されることにより、これら部材同士の固定が行われる。
【００４４】
また、第１カバー１５および第２カバー１６の上面の所定位置には、ビス孔１５ｂ，１６ｂがそれぞれ設けられている。当該ビス孔１５ｂ，１６ｂは、透光カバー６０を筐体に固定するためのものである。
【００４５】
図２に示すように、収容部１３には、一対の高熱伝導シート２１，２２、光源ユニット３０、保持部材４０および複数のレンズ５０が、この順で積層されて収容配置される。
【００４６】
このうち、一対の高熱伝導シート２１，２２にて構成される放熱部材２０は、光源ユニット３０の実装基板３１の裏面側に配置されている。より詳細には、放熱部材２０は、その上面が上記実装基板３１の裏面側に接触した状態となるとともに、その下面がシャーシ１０の底壁部１１に接触した状態となるように、光源ユニット３０の実装基板３１の裏面側に配置されている。
【００４７】
また、保持部材４０は、その一部が光源ユニット３０の実装基板３１に当接した状態で実装基板３１の表面側に配置され、複数のレンズ５０は、そのそれぞれが保持部材４０に取付けられた状態で光源ユニット３０の実装基板３１の表面側に配置される。
【００４８】
一対の高熱伝導シート２１，２２は、所定の厚みを有する絶縁性の長尺状の部材からなり、少なくともその一方が圧縮変形が可能な部材にて構成される。好適には、高熱伝導シート２１，２２としては、シリコン系やアクリル系の樹脂シート等が利用される。なお、放熱部材２０は、実装基板３１上に実装された発光素子や抵抗素子等の各種の電子部品にて発生した熱を放熱するためのものであり、理想的には、実装基板３１の裏面（実装基板３１の裏面に電子部品が実装されている場合には当該電子部品も含む）にフィットした状態でこれに接触するだけの十分な弾性と厚みを有していることが好ましい。放熱部材２０が実装基板３１に十分に接触するためには、その厚みが底壁部１１と支持部１４ａとの間の距離よりも大きい方が望ましい。
【００４９】
実装基板３１は、偏平な長尺板状の部材からなり、たとえばガラスエポキシ基板に代表されるリジッドプリント配線板にて構成される。この実装基板３１の表面および裏面には、配線パターンが形成されており、当該実装基板３１に各種の電子部品が実装されることで回路が形成される。特に、実装基板３１の表面には、複数の発光素子３２が実装基板３１の長手方向に沿って直線状に整列して実装されている。ここで、複数の発光素子３２は、実装基板３１の長手方向に沿って同一ピッチで配置される。
【００５０】
実装基板３１の長辺側端部の所定位置には、実装基板３１の表面から裏面に向けて貫通する貫通部としての切欠き部３１ａが設けられている。当該切欠き部３１ａは、後述する保持部材４０に設けられた柱状部４６（図８、図９および図１２参照）が挿通されるための部位である。
【００５１】
また、実装基板３１の四隅のうち、接続ケーブル７１が引き出される筐体の角に対応する部分には、切欠き部３１ｂが設けられている。当該切欠き部３１ｂは、第１カバー１５に設けられた固定部１５ｄが配置されるスペースを形成するための部位である（図７参照）。
【００５２】
さらに、実装基板３１の裏面には、コネクタ３３（図７および図９参照）が組付けられている。当該コネクタ３３は、後述する接続ケーブル７１の先端に取付けられたコネクタ７３が接続される部位である。
【００５３】
発光素子３２は、照明装置１Ａの光源となる部品であり、たとえばＬＥＤ等が利用できる。当該発光素子３２は、その形状や実装形態等の違いに応じ、砲弾型発光素子や表面実装型チップ発光素子、ベアチップ等、様々なものを利用することができる。なお、本実施の形態においては、発光素子３２として、表面実装型チップＬＥＤを採用した場合を特に例示している。
【００５４】
保持部材４０は、基部４１および一対の側板部４２を有する長尺状の部材からなり、たとえば樹脂材料を原料として射出成形等によって形成された部材からなる。基部４１は、平面視略矩形状の形状を有しており、一対の側板部４２は、基部４１の相対する一対の長辺側端部から立設されている。基部４１の所定位置には、実装基板３１に実装された発光素子３２に対応して複数の開口部４３が保持部材４０の長手方向に沿って直線状に整列して設けられている。ここで、複数の開口部４３は、実装基板３１に配置された発光素子３２のピッチに応じて、保持部材４０の長手方向に沿って同一ピッチで配置される。なお、保持部材４０は、長尺状に一体化されずに複数のレンズ５０に一対一対応するように分割されて構成されていてもよい。
【００５５】
図２、図４および図５に示すように、レンズ５０は、透光性の樹脂材料を原料として射出成形等によって形成された部材からなり、基部５１とレンズ部５２とを有している。複数のレンズ５０の各々は、それぞれ１つのレンズ部５２を有しており、これら複数のレンズ５０は、実装基板３１に実装された発光素子３２に対応して設けられる。なお、基部５１の周側面には、それぞれの周側面に対応付けて耳部５１ａが設けられている。当該耳部５１ａは、レンズ５０を保持部材４０に対して固定するための部位であり、後述する保持部材４０に設けられた第２爪部４４によって係止される部位である。
【００５６】
図５に示すように、レンズ５０のレンズ部５２が設けられた側の面とは反対側の面には、発光素子３２が収容される凹部５３が形成されている。また、基部５１のレンズ部５２が設けられた側の面とは反対側の面には、所定の区画毎に複数の反射面５４が形成されている。凹部５３に収容された発光素子３２から照射される光の多くは、直線的に凹部５３へと導かれ、レンズ部５２を通じて所定の方向に照射される。これに対し、残る光のうち、光軸とは異なる方向に導かれた光は、反射面５４で反射される。その結果、これらの光は、伝搬方向が変化させられることでレンズ部５２が形成された面（光出射面）の方向へと導かれる。したがって、このような反射面５４を設けることにより、発光素子３２から照射される光をより効率的に光出射面から照射させることが可能になる。
【００５７】
複数のレンズ５０は、上述した保持部材４０に設けられた複数の開口部４３を覆うように保持部材４０に取付けられることで保持部材４０によって保持される。これにより、複数のレンズ５０は、保持部材４０の長手方向に沿って同一ピッチで配置されることになり、複数のレンズ５０の各々に設けられたレンズ部５２も、保持部材４０の長手方向に沿って同一ピッチで配置されることになる。
【００５８】
図２および図３に示すように、透光カバー６０は、透光性の樹脂材料を原料として射出成形等によって形成された偏平な長尺板状の部材からなり、拡散板部６１と、当該拡散板部６１の長手方向の一方端に設けられた凸部６２および他方端に設けられた凹部６３とを有している。拡散板部６１は、発光素子３２から出射された光を拡散して照明に適した照明光にするための部材である。
【００５９】
透光カバー６０は、筐体の収容部１３に各種の部品が収容された状態で、当該収容部１３を覆うように筐体の上面に取付けられる。透光カバー６０の凸部６２および凹部６３が設けられた部分には、それぞれビス孔６２ｂ，６３ｂが設けられており、当該ビス孔６２ｂ，６３ｂは、第１カバー１５および第２カバー１６に設けられたビス孔１５ｂ，１６ｂに対応している。これら複数のビス孔１５ｂ，１６ｂ，６２ｂ，６３ｂは、透光カバー６０を筐体に固定するためのものであり、ビス孔１５ｂ，１６ｂの各々とビス孔６２ｂ，６３ｂの各々とが重ね合わされた状態で締結部材である複数のビス８２が螺合されることにより、これら部材の固定が行われる。
【００６０】
ここで、透光カバー６０には、所定の波長の光のみを選択的に透過する光学フィルターが付設されていてもよい。また、透光カバー６０としては、図６に示す如くの単純な長尺平板状の形状のものであってもよい。なお、レンズ５０の光出射面から出射された光を特に拡散させる必要がない場合には、透光カバー６０を筐体に取付けずに使用することとすればよい（すなわち、図４に示す状態で使用すればよい）。
【００６１】
図２ないし図４および図７に示すように、接続ケーブル７１は、実装基板３１に実装された電子部品およびこれによって構成される回路に各種の伝送信号や電源を供給するためのものであり、その一端が実装基板３１に接続され、その他端が外部端末（たとえば上述したストロボコントローラ１２０）に接続される。接続ケーブル７１は、実装基板３１に組付けられたコネクタ３３に当該接続ケーブル７１の先端に取付けられたコネクタ７３が接続されることで実装基板３１に電気的かつ物理的に接続される。接続ケーブル７１は、第１カバー１５に設けられた挿通孔を介して筐体の内部にその先端が挿し込まれ、固定部材としてのケーブル保持部材７２を介して第１カバー１５に取付けられる。
【００６２】
図２および図７に示すように、ケーブル保持部材７２は、接続ケーブル７１を周方向に取り巻く環状の当て留め部７２ａと、当該当て留め部７２ａから立設された引っ掛け部７２ｂとを有している。ケーブル保持部材７２は、接続ケーブル７１の途中位置に外挿固定されており、組付け後において第１カバー１５の固定部１５ｄに嵌合している（図７参照）。より詳細には、当て留め部７２ａが固定部１５ｄの外表面に当て留めされており、引っ掛け部７２ｂが固定部１５ｄに設けられた貫通孔に挿通されてその先端のフック部が固定部１５ｄの内表面に引っ掛けられている。これにより、接続ケーブル７１は、ケーブル保持部材７２を介して第１カバー１５の固定部１５ｄに固定されることになり、接続ケーブル１５に強い力が加わった場合にも、接続ケーブル１５の先端に取付けられたコネクタ７３が実装基板３１に組付けられたコネクタ３３から脱落することが防止できる。
【００６３】
図３に示すように、照明装置１Ａは、組付け後において略直方体形状の外形を有しており、その上面が透光カバー６０に覆われており、その長手方向に平行な一対の側面および下面がシャーシ１０によって覆われており、その長手方向と直交する一対の端面が第１カバー１５および第２カバー１６によって覆われている。接続ケーブル７１は、略直方体形状を有する照明装置１Ａの角から引き出されている。図７に示すように、第１カバー１５の固定部１５ｄをシャーシ１０の角部においてシャーシ１０の内側に食い込ませて設けるとともに、図２に示すように、シャーシ１０の側壁部１２に切欠き部１８ｄを設けることで、接続ケーブル７１を筐体の長手方向および短手方向に屈曲させやすくすることができる。また、固定部１５ｄをシャーシ１０の角部に設けることで、ケーブル保持部材７２をスペース効率良く固定することができる。
【００６４】
図４に示すように、透光カバー６０を取付けていない状態においては、筐体の上面において保持部材４０および複数のレンズ５０が露出した状態となっており、当該複数のレンズ５０は、筐体の長手方向に沿って直線状に整列して配置されている。
【００６５】
図８は、図２および図４に示す保持部材の底面図であり、図９は、本実施の形態における照明装置の組付構造を説明するための要部分解斜視図である。また、図１０ないし図１３は、図８に示すＸ−Ｘ線、ＸＩ−ＸＩ線、ＸＩＩ−ＸＩＩ線およびＸＩＩＩ−ＸＩＩＩ線に沿って照明装置をそれぞれ切断した場合の模式断面図である。次に、これら図８ないし図１３を参照して、本実施の形態における照明装置１Ａの組付構造についてより詳細に説明する。
【００６６】
図８および図９に示すように、本実施の形態における照明装置１Ａの保持部材４０には、各種の係止機構や位置決め機構等が設けられている。保持部材４０は、上述したように、複数の開口部４３が設けられた基部４１と、当該基部４１の相対する一対の長辺側端部から立設された一対の側板部４２とを有しており、当該基部４１および一対の側板部４２に各種の係止機構や位置決め機構等がそれぞれ設けられている。
【００６７】
図８ないし図１０に示すように、保持部材４０の基部４１の下面（すなわち、組付け後において実装基板３１に対向する主面）には、複数の開口部４３の周縁に沿って、レンズ５０の角部５１ｂが収容される凹部４３ａと、レンズ５０の耳部５１ａに係止することで当該レンズ５０を固定するための第２係止部である第２爪部４４とが設けられている。このうち、凹部４３ａは、開口部４３の四隅に設けられており、第２爪部４４は、開口部４３の相対する一対の辺に対向して設けられている。第２爪部４４は、内側に向けて爪が張り出した形状とされている。
【００６８】
図９に示すように、レンズ５０は、組付けに際して保持部材４０の下面側から上記凹部４３ａに挿入される。その際、第２爪部４４がレンズ５０の耳部５１ａに嵌合することにより、レンズ５０が保持部材４０によって保持され、これによりレンズ５０が保持部材４０に嵌合固定されることになる。なお、レンズ５０が保持部材４０に嵌合固定された状態においては、レンズ５０の一部である角部５１ｂが凹部４３ａの底面に当接することになり、これによりレンズ５０が保持部材４０の上面側から脱離することが防止されている。
【００６９】
図８、図９および図１１に示すように、保持部材４０の側板部４２の所定位置には、被係止部としての第１爪部４５が複数設けられている。第１爪部４５は、保持部材４０をシャーシ１０に固定するための部位であり、外側に向けて爪が張り出した形状とされている。保持部材４０は、組付けに際してシャーシ１０の上面側から収容部１３に挿入され、その際、第１爪部４４がシャーシ１０の第１係止部１４ｂである段差面（図２および図１１参照）に嵌合することにより、保持部材４０がシャーシ１０に嵌合固定されることになる。
【００７０】
図８、図９および図１２に示すように、保持部材４０の側板部４２の所定位置には、当該側板部４２の下面から下方に向けて突出するように柱状部４６が複数設けられている。柱状部４６は、実装基板３１に設けられた切欠き部３１ａに対応して設けられており、組付けに際して当該切欠き部３１ａに挿通される。
【００７１】
図８、図９および図１３に示すように、保持部材４０の側板部４２の所定位置には、弾性付勢部４７が設けられている。弾性付勢部４７は、保持部材４０の長手方向に沿って延在する梁部４８と、当該梁部４８の下面に設けられた突起部４９とによって構成されており、上述した柱状部４６が設けられた位置とは異なる位置の側板部４２の下端に設けられている。梁部４８は、側板部４２の所定位置を切欠き部または開口部を設けることによって形成されており、これにより弾性機能を発揮する。突起部４９は、好ましくは梁部４８の最も変位し易い部位に設けられる。
【００７２】
上記弾性付勢部４７は、保持部材４０および実装基板３１がシャーシ１０に組付けられた状態において、実装基板３１の長辺側端部をシャーシ１０に設けられた支持部１４ａ（図２および図１３参照）に向けて弾性付勢するための部位である。ここで、保持部材４０は、弾性付勢部４７の突起部４９の先端においてのみ実装基板３１の表面に当接しており、これにより実装基板３１を支持部１４ａに向けて付勢した状態で押し付ける。
【００７３】
以上において説明した照明装置１Ａの組付構造を要約すると、その特徴は以下の如くになる。
【００７４】
シャーシ１０は、底壁部１１と、底壁部１１の相対する一対の長辺側端部から立設された一対の側壁部１２と、底壁部１１および一対の側壁部１２によって規定され収容部１３と、一対の側壁部１２から収容部１３側に向けて突設され、実装基板３１の相対する一対の長辺側端部を支持する一対の支持部１４ａと、一対の側壁部１２に設けられ、保持部材４０をシャーシ１０に嵌合固定する一対の第１係止部１４ｂとを含んでいる。ここで、シャーシ１０の収容部１３には、複数の発光素子３２、実装基板３１、複数のレンズ５０、保持部材４０および放熱部材２０が収容されることになる。
【００７５】
保持部材４０は、複数の発光素子３２に対応して設けられた複数の開口部４３と、複数の開口部４３を覆うように複数のレンズ５０を保持部材４０に嵌合固定する複数の第２係止部としての第２爪部４４と、実装基板３１の一対の長辺側端部を一対の支持部１４ａに向けて弾性付勢する複数の弾性付勢部４７とを含んでいる。
【００７６】
これにより、実装基板３１は、複数の弾性付勢部４７と一対の支持部１４ａとによって挟持固定されることになり、放熱部材２０は、実装基板３１とシャーシ１０の底壁部１１とによって実装基板３１および底壁部１１のそれぞれに密着した状態で挟持固定されることになる。
【００７７】
したがって、実装基板３１に反りが生じている場合にも、保持部材４０の弾性付勢部４７が有する弾性付勢力によって保持部材４０の反りが矯正されることになり、保持部材４０によって保持されたレンズ５０のレンズ部５２と、実装基板３１に実装された発光素子３２との光軸方向における位置決め（すなわちＺ軸方向における位置決め）を精度よく行うことができ、高性能の照明装置とすることができる。
【００７８】
ここで、保持部材４０の弾性付勢部４７が有する弾性付勢力は、一般に放熱部材２０としての高熱伝導シート２１，２２が有する弾性付勢力よりも遥かに大きく、効果的に実装基板３１の反りを矯正することができる。その反面、反りを矯正することで生じる実装基板３１の反力は、保持部材４０の弾性付勢部４７に加わることになり、ましてや弾性付勢部４７を有する保持部材４０とレンズ５０とが別部材にて構成されているため、レンズ５０にストレスがかかることもなく、高い信頼性を実現することができる。
【００７９】
また、保持部材４０の弾性付勢部４７が有する弾性付勢力により、実装基板３１がシャーシ１０の支持部１４ａに押し付けられて固定されるため、当該実装基板３１とシャーシ１０の底壁部１１とによって放熱部材２０が挟持されることになる。したがって、当該放熱部材２０が圧縮変形することで実装基板３１の裏面およびシャーシ１０の底壁部１１にそれぞれ密着することになるため、高い放熱性能を得ることができ、この点においても高い信頼性を実現することができる。
【００８０】
さらには、レンズ５０と実装基板３１とが直接接触せず、これらの間に保持部材４０が介在され、また保持部材４０と実装基板３１の表面との接触が突起部４９の先端部分に限定されるため、実装基板３１に実装された電子部品に生じる熱がレンズ５０に伝熱することが大幅に抑制できる。したがって、レンズ５０に熱ストレスが加わることも効果的に防止することができ、この点においても高い信頼性を実現することができる。
【００８１】
加えて、シャーシ１０の収容部１３に放熱部材２０および実装基板３１を載置し、複数のレンズ５０が嵌め込まれた保持部材４０をシャーシ１０に嵌め込むだけの作業で基本的な組付け作業が完了するため、組付け性が非常によいものにもなる。
【００８２】
また、上記組付構造においては、保持部材４０に設けられた柱状部４６が、組付けに際して実装基板３１に設けられた切欠き部３１ａに挿通されることにより、出射面と平行な面内における位置決め（すなわちＸＹ面内における位置決め）も精度よく行うことができ、この点においても高性能の照明装置とすることができる。
【００８３】
以上において説明したように、本実施の形態における照明装置１Ａとすることにより、発光素子３２とレンズ部５２との位置決めを高精度に行うことができ、組付け性に優れ、高性能でかつ高信頼性の照明装置とすることができる。
【００８４】
図１４は、本実施の形態に基づいた第１変形例に係る照明装置の分解斜視図であり、図１５は、当該第１変形例に係る照明装置の模式断面図である。次に、この図１４および図１５を参照して第１変形例に係る照明装置について説明する。なお、図１４においては、主要部品のみを図示しているが、図示しない部品については、上述した本実施の形態におけるそれと同様のものが使用される。
【００８５】
図１４に示すように、本変形例に係る照明装置においては、保持部材４０に設けられた第２爪部４４が何らかの理由で変形することでレンズ５０が保持部材４０から脱落することを防止するために、ロック板９０を具備している。ロック板９０は、複数のレンズ５０に対応して設けられた複数の窓部９２と当該複数の窓部９２を形成する枠状部９１とを有している。ロック板９０は、組付けに際して実装基板３１と保持部材４０との間に配置される。
【００８６】
図１５に示すように、ロック板９０の枠状部９１は、レンズ５０が保持部材４０に嵌合固定された状態において、保持部材４０の第２爪部４４と側板部４２との間に位置する隙間に圧入される。また、上述したようにロック板９０は、実装基板３１と保持部材４０との間に配置されるため、組付け後において実装基板３１上に位置することになり、ロック板９０が上記隙間から脱落することもない。
【００８７】
このように構成することにより、第２爪部４４と側板部４２との間をロック板９０の枠状部９１が埋めることになるため、仮にレンズ５０が光源ユニット３０側に向けて強く押し付けられた場合にも、第２爪部４４が外側（すなわち、レンズ５０側とは反対側）に向けて変形することがなく、第２爪部４４によるレンズ５０の安定的な保持が維持できる。
【００８８】
図１６は、本実施の形態に基づいた第２変形例に係る照明装置の一部分解斜視図である。次に、この図１６を参照して第２変形例に係る照明装置１Ｂについて説明する。
【００８９】
図１６に示すように、本変形例に係る照明装置１Ｂは、上述した本実施の形態における照明装置１Ａと比較した場合に、シャーシ１０および透光カバー６０がさらに長尺の部材にて構成されている点において相違するとともに、単体の部材からなるシャーシ１０の収容部１３に、実装基板および発光素子を含む光源ユニットと、保持部材４０と、複数のレンズ５０とによって構成される長尺のサブアセンブリが、シャーシ１０の長手方向に沿って複数並べて配置された構成である点において相違している。ここで、個々のサブアセンブリは、上述した本実施の形態におけるそれと同様である。
【００９０】
このように構成することにより、シャーシ１０および透光カバー６０としてその長さが異なるものを予めバリエーションとして複数準備しておくことにより、サブアセンブリを共通化させた状態で発光素子の増設を容易に行うことができる。したがって、異なる仕様の照明装置を容易に製造することができることになる。
【００９１】
（実施の形態２）
図１７は、本発明の実施の形態２における照明システムの一部分解斜視図である。次に、この図１７を参照して、本実施の形態における照明システム１Ｃについて説明する。
【００９２】
図１７に示すように、本実施の形態における照明システム１Ｃは、上述した本実施の形態における照明装置１Ａを長手方向に連結することで発光素子の増設を行った照明システムである。ここで、本実施の形態における照明システム１Ｃにおいては、照明装置１Ａを順方向に連結した（すなわち、２つの照明装置１Ａが同じ方向を向いた状態で連結した）ものである。
【００９３】
具体的には、照明システム１Ｃにおいては、一方の照明装置１Ａの第２カバーを取り外し、他方の照明装置１Ａの第１カバーを図示する如くの第３カバー１７に交換し、当該第３カバー１７を連結具として使用して２つの照明装置１Ａの連結が行われている。
【００９４】
より詳細には、第３カバー１７は、上記他方の照明装置１Ａの収容部に挿入される部位と、上記一方の照明装置１Ａの収容部に挿入される部位とを有しており、これら部位の側面のそれぞれにビス孔が設けられ、ビス８１が双方のシャーシ１０に設けられたビス孔を介して上記第３カバー１７に設けられたビス孔に螺合されることにより、双方のシャーシ１０が固定される。これにより、２つの照明装置１Ａの連結が行われる。
【００９５】
また、上記一方の照明装置１Ａの透光カバー６０の凸部６２は、上記他方の照明装置１Ａの透光カバー６０の凹部６３に挿入され、これら凸部６２および凹部６３に設けられたビス孔６２ｂ，６３ｂが重ね合わされた状態で、双方の透光カバー６０が筐体の上面に載置される。そして、第３カバー１７の上面に設けられたビス孔１７ｂに上記ビス孔６２ｂ，６３ｂがさらに重ね合わされ、ビス８２によって螺合されることにより、双方の透光カバー６０が筐体に組付けられる。
【００９６】
このように構成することにより、発光素子の増設を容易に行うことが可能となるため、設置現場等において状況において発光素子の増設が可能となる等、非常に使い勝手のよい照明装置およびこれを複数備えた照明システムとすることができる。
【００９７】
（実施の形態３）
図１８は、本発明の実施の形態３における照明システムの一部分解斜視図である。次に、この図１８を参照して、本実施の形態における照明システム１Ｄについて説明する。
【００９８】
図１８に示すように、本実施の形態における照明システム１Ｄは、上述した本実施の形態における照明装置１Ａを長手方向に連結することで発光素子の増設を行った照明システムである。ここで、本実施の形態における照明システム１Ｄにおいては、照明装置１Ａを逆方向に連結した（すなわち、２つの照明装置１Ａが異なる方向を向いた状態で連結した）ものである。
【００９９】
具体的には、照明システム１Ｄにおいては、一方および他方の照明装置１Ａの第２カバーをそれぞれ取り外し、第２カバーが取り外された一方の照明装置１Ａの端部と同じく第２カバーが取り外された他方の照明装置１Ａの端部とを突き合わせた状態とし、図示する如くの接続具８３を用いて双方のシャーシ１０が固定される。これにより、２つの照明装置１Ａの連結が行われる。なお、この場合には、図示する如く、予め準備した長尺の透光カバー６０が筐体に組付けられることになる。
【０１００】
このように構成することにより、発光素子の増設を容易に行うことが可能となるため、設置現場等において状況において発光素子の増設が可能となる等、非常に使い勝手のよい照明装置およびこれを複数備えた照明システムとすることができる。
【０１０１】
ここで、図１９は、本実施の形態における照明システムの透光カバーを取り外した状態の平面図であり、図２０は、本実施の形態における照明システムの照明特性と、上述した本発明の実施の形態２における照明システムの照明特性とを、照度の観点から比較したグラフである。なお、図２０（Ａ）は、本実施の形態における照明システムの照度ムラの程度を実際に計測した結果を示すグラフであり、図２０（Ｂ）は、上述した本発明の実施の形態２における照明システムの照度ムラの程度を実際に計測した結果を示すグラフである。
【０１０２】
上述した本発明の実施の形態１における照明装置１Ａにおいて、保持部材４０の形状に工夫を施すことにより、発光素子を増設した場合にも照明特性の低下（特に照度ムラの発生）を効果的に防止することができる。以下においては、上記図１９および図２０を参照して、この点について詳細に説明する。
【０１０３】
上述したように本発明の実施の形態１における照明装置１Ａにおいては、発光素子、レンズおよび開口部がいずれもシャーシの長手方向に沿って同一ピッチで配置されていた。そのため、発光素子の増設を行う場合にも、増設する発光素子が当該同一ピッチで連続して配置されることにより、照度ムラの発生を効果的に抑制できることになる。
【０１０４】
そこで、本実施の形態においては、図１９に示すように、照明装置１Ａに具備される保持部材４０に設けられた複数の開口部４３のうち、保持部材４０の長手方向の端部に最も近い位置に配置された開口部の上記端部寄りの位置と当該端部との間の距離が、保持部材４０の隣り合う開口部４３同士の間に位置する桟の幅ａの１／２の大きさとされている。これにより、保持部材４０の端部同士を突き合わせた場合に、双方の保持部材４０を跨ぐ部分における開口部４３間のピッチが、双方の保持部材４０を跨がない部分における開口部４３間のピッチＡと同じとなり、照明ムラの発生が防止できることになる。
【０１０５】
このことは、図２０（Ａ）および図２０（Ｂ）に示す試験結果からも明らかであり、上記ピッチの調整が行われた本実施の形態における照明システム１Ｄにあっては、照明ムラの発生が大幅に抑制され、他方、上記ピッチの調整が行われていない上述した本発明の実施の形態における照明システム１Ｃにおいては、照明ムラの発生が顕著に生じてしまうことが確認された。なお、上述した本発明の実施の形態１に基づいた変形例に係る照明装置１Ｂについても、保持部材４０の配置構造が基本的に本実施の形態におけるそれと同様であるため、当該変形例に係る照明装置１Ｂにおいても、同様の効果を得ることができる。
【０１０６】
以上において説明した本発明の実施の形態１ないし３およびその変形例においては、直線状に一列に発光素子が並べて配置された場合を例示して説明を行ったが、発光素子が行列状あるいは千鳥状等、他のレイアウトで並べて配置される場合にも、当然に本発明の適用が可能である。また、並べて配置される発光素子も例示の如くの４つに限るものではなく、複数であればいくつであってもよい。
【０１０７】
また、上述した本発明の実施の形態１ないし３およびその変形例においては、保持部材や筐体、実装基板に設けられる各種係止機構や位置決め機構が、それぞれ筐体の長手方向に沿って連続して延在するように設けた場合や、断続的に点在するように設けた場合を一例として例示して説明したが、これら係止機構や位置決め機構の具体的な構成、すなわち設置位置や設置数、個別形状等は、当然に適宜変更が可能である。
【０１０８】
さらに、上述した本発明の実施の形態１ないし３およびその変形例においては、発光素子を増設する場合に、同一数のレンズを有する保持部材を２個連結することで発光素子を増設した場合のみを例示して説明を行ったが、当然に、同一数のレンズを有する保持部材を３個以上連結することで発光素子を増設してもよいし、異数のレンズを有する保持部材を２個以上連結することで発光素子を増設してもよい。
【０１０９】
このように、今回開示した上記各実施の形態およびその変形例はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【０１１０】
１Ａ，１Ｂ  照明装置、１Ｃ，１Ｄ  照明システム、１０  シャーシ、１１  底壁部、１２  側壁部、１２ａ  ビス孔、１３  収容部、１４ａ  支持部、１４ｂ  第１係止部、１５  第１カバー、１５ａ，１５ｂ  ビス孔、１５ｄ  固定部、１６  第２カバー、１６ａ，１６ｂ  ビス孔、１７  第３カバー、１７ｂ  ビス孔、１８ａ，１８ｂ、１８ｃ，１９  溝部、１８ｄ  切欠き部、２０  放熱部材、２１，２２  高熱伝導シート、３０  光源ユニット、３１  実装基板、３１ａ，３１ｂ  切欠き部、３２  発光素子、３３  コネクタ、４０  保持部材、４１  基部、４２  側板部、４３  開口部、４３ａ  凹部、４４  第２爪部、４５  第１爪部、４６  柱状部、４７  弾性付勢部、４８  梁部、４９  突起部、５０  レンズ、５１  基部、５１ａ  耳部、５１ｂ  角部、５２  レンズ部、５３  凹部、５４  反射面、６０  透光カバー、６１  拡散板部、６２  凸部、６２ａ  ビス孔、６３  凹部、６３ａ  ビス孔、７１  接続ケーブル、７２  ケーブル保持部材、７２ａ  当て留め部、７２ｂ  引っ掛け部、７３  コネクタ、８１，８２  ビス、８３  接続具、９０  ロック部材、９１  枠状部、９２  窓部、１００  画像処理システム、１１０  カメラ、１２０  ストロボコントローラ、１３０  画像処理装置、２００  搬送経路、Ｗ  ワーク。
【要約】
【課題】発光素子とレンズ部との位置決めを高精度に行うことができ、組付け性に優れ、高性能でかつ高信頼性の照明装置を提供する。
【解決手段】照明装置１Ａは、長尺状のシャーシ１０と、複数の発光素子３２と、複数のレンズ５０と、長尺状の実装基板３１と、長尺状の保持部材４０と、放熱部材２０とを備える。シャーシ１０は、実装基板３１の長辺側端部を支持する支持部１４ａと、保持部材４０をシャーシ１０に嵌合固定する第１係止部１４ｂとを含む。保持部材４０は、複数のレンズ５０の各々を保持部材４０に嵌合固定する複数の第２係止部と、実装基板３１の長辺側端部を支持部１４ａに向けて弾性付勢する弾性付勢部とを含む。実装基板３１は、弾性付勢部と支持部１４ａとによって挟持固定され、放熱部材２０は、実装基板３１と底壁部１１とによって実装基板３１および底壁部１１のそれぞれに密着した状態で挟持固定される。
【選択図】図２【図１】
0004780243.tif 000002
【図２】
0004780243.tif 000003
【図３】
0004780243.tif 000004
【図４】
0004780243.tif 000005
【図５】
0004780243.tif 000006
【図６】
0004780243.tif 000007
【図７】
0004780243.tif 000008
【図８】
0004780243.tif 000009
【図９】
0004780243.tif 000010
【図１０】
0004780243.tif 000011
【図１１】
0004780243.tif 000012
【図１２】
0004780243.tif 000013
【図１３】
0004780243.tif 000014
【図１４】
0004780243.tif 000015
【図１５】
0004780243.tif 000016
【図１６】
0004780243.tif 000017
【図１７】
0004780243.tif 000018
【図１８】
0004780243.tif 000019
【図１９】
0004780243.tif 000020
【図２０】
0004780243.tif 000021